(57)【要約】【課題】再生可能なデータが対応づけられた領域に頻繁に出入りしても、データをスムーズに再生する。【解決手段】地図上の指定された領域と楽曲情報とを対応づけて記憶する楽曲情報記憶部２と、該楽曲情報記憶部２に記憶されている楽曲情報を再生する楽曲情報再生部３と、現在位置の位置情報を検出するＧＰＳアンテナ４と、該ＧＰＳアンテナ４により検出された位置情報が領域外から領域内に入ったときに、当該領域に対応づけて楽曲情報記憶部２に記憶されている楽曲情報の再生を開始し、再生開始後所定時間にわたって楽曲情報の再生状態を維持するよう楽曲情報再生部３を制御する制御部５とを備える音楽再生装置１を提供する。【選択図】図１
2010027126.tif 000002
【特許請求の範囲】
【請求項１】
データを再生する領域と再生可能なデータとを対応づけて記憶するデータ記憶部と、
該データ記憶部に記憶されている前記再生可能なデータを再生するデータ再生部と、
現在位置の位置情報を検出する位置検出部と、
該位置検出部により検出された位置情報が前記領域外から前記領域内に入ったときに、当該領域に対応づけて前記データ記憶部に記憶されている再生可能なデータの再生を開始し、再生開始後所定時間にわたって当該再生可能なデータの再生状態を維持するよう前記データ再生部を制御する制御部とを備えるデータ再生装置。
【請求項２】
前記制御部は、
前記位置検出部により検出された位置情報が前記領域外から複数の前記領域内に同時に入ったときに、前記複数の領域に対応づけて前記データ記憶部に記憶されている複数の再生可能なデータのうち、何れの再生可能なデータの再生を開始するかを判定し、かつ、
前記判定された再生可能なデータの再生を開始させ、再生開始後所定時間にわたって当該再生可能なデータの再生状態を維持するよう前記データ再生部を制御する請求項１に記載のデータ再生装置。
【請求項３】
前記制御部は、前記再生可能なデータの再生開始後所定時間が経過したときに、現在位置の位置情報を検出するよう前記位置検出部を制御し、現在位置が再生開始時の前記領域と同じ領域に存在している場合に、当該領域に対応づけて前記データ記憶部に記憶されている再生可能なデータの再生を継続するよう前記データ再生部を制御する請求項１または２に記載のデータ再生装置。
【請求項４】
前記制御部は、前記再生可能なデータの再生開始後所定時間が経過したときに、現在位置の位置情報を検出するよう前記位置検出部を制御し、現在位置が再生開始時の前記領域とは異なる領域に存在している場合に、当該異なる領域に対応づけて前記データ記憶部に記憶されている再生可能なデータの再生を開始するよう前記データ再生部を制御する請求項１または２に記載のデータ再生装置。
【請求項５】
前記制御部は、前記再生可能なデータの再生開始後所定時間が経過したときに、現在位置の位置情報を検出するよう前記位置検出部を制御し、現在位置が複数の前記領域内に存在している場合に、前記複数の領域に対応づけて前記データ記憶部に記憶されている複数の再生可能なデータのうち、何れの再生可能なデータの再生を開始するかを判定し、かつ、前記判定された再生可能なデータの再生を開始させ、再生開始後所定時間にわたって当該再生可能なデータの再生状態を維持するよう前記データ再生部を制御する請求項１または２に記載のデータ再生装置。
【請求項６】
前記制御部は、前記再生可能なデータの再生開始後所定時間が経過したときに、現在位置の位置情報を検出するよう前記位置検出部を制御し、現在位置が前記再生可能なデータの対応づけられていない領域に存在している場合に、前記再生可能なデータの再生を継続するよう前記データ再生部を制御する請求項１または２に記載のデータ再生装置。
【請求項７】
前記データ記憶部は、前記領域に対応づけられていない再生可能なデータをさらに記憶し、
前記制御部は、前記再生可能なデータの再生開始後所定時間が経過したときに、現在位置の位置情報を検出するよう前記位置検出部を制御し、現在位置が前記再生可能なデータの対応づけられていない領域に存在している場合に、前記領域に対応づけられていない再生可能なデータの再生を開始するよう前記データ再生部を制御する請求項１または２に記載のデータ再生装置。
【請求項８】
前記制御部は、前記再生可能なデータの再生が終了したときに、現在位置の位置情報を検出するよう前記位置検出部を制御し、現在位置が再生開始時の前記領域と同じ領域に存在している場合に、当該領域に対応づけて前記データ記憶部に記憶されている再生可能なデータの再生を開始するよう前記データ再生部を制御する請求項１から７のいずれかに記載のデータ再生装置。
【請求項９】
前記データ記憶部は、前記領域に対応づけられていない再生可能なデータをさらに記憶し、
前記制御部は、前記再生可能なデータの再生が終了したときに、現在位置の位置情報を検出するよう前記位置検出部を制御し、現在位置が再生開始時の前記領域と同じ領域に存在している場合に、前記領域に対応づけられていない再生可能なデータの再生を開始するよう前記データ再生部を制御する請求項１から７のいずれかに記載のデータ再生装置。
【請求項１０】
前記制御部は、前記再生可能なデータの再生が終了したときに、現在位置の位置情報を検出するよう前記位置検出部を制御し、
現在位置が再生開始時の前記領域とは異なる領域に存在している場合に、当該異なる領域に対応づけて前記データ記憶部に記憶されている再生可能なデータの再生を開始するよう前記データ再生部を制御する請求項１から７のいずれかに記載のデータ再生装置。
【請求項１１】
前記制御部は、前記再生可能なデータの再生が終了したときに、現在位置の位置情報を検出するよう前記位置検出部を制御し、
現在位置が複数の前記領域内に存在している場合に、前記複数の領域に対応づけて前記データ記憶部に記憶されている複数の再生可能なデータのうち、何れの再生可能なデータの再生を開始するかを判定し、かつ、
前記判定された再生可能なデータの再生を開始させるよう前記データ再生部を制御する請求項１から７のいずれかに記載のデータ再生装置。
【請求項１２】
前記データ記憶部は、前記領域に対応づけられていない再生可能なデータをさらに記憶し、
前記制御部は、前記再生可能なデータの再生が終了したときに、現在位置の位置情報を検出するよう前記位置検出部を制御し、現在位置が前記再生可能なデータの対応づけられていない領域に存在している場合に、前記領域に対応づけられていない再生可能なデータの再生を開始するよう前記データ再生部を制御する請求項１から７のいずれかに記載のデータ再生装置。
【発明の詳細な説明】
【技術分野】
【０００１】
本発明は、データ再生装置に関するものである。
【背景技術】
【０００２】
従来、位置情報に対応づけて楽曲データを記憶しておき、ＧＰＳ装置によって検出した現在位置が記憶されている位置情報に一致した場合に、当該位置情報に対応づけて記憶されている楽曲データを再生する携帯電話機が知られている（例えば、特許文献１参照。）。この特許文献１に開示された発明は、携帯電話機を有しているユーザが山中にいるか海岸近郊にいるか等の位置情報に応じて、その場所に予め対応させている楽曲データを着信音として再生させるものである。
【０００３】
また、自動車の周囲環境に対応させた楽曲データを自動的に選択して再生するカーオーディオ装置が知られている（例えば、特許文献２参照。）。
【０００４】
【特許文献１】特開２００６−１５４０８７号公報
【特許文献２】特開平４−３１７８３５号公報
【発明の開示】
【発明が解決しようとする課題】
【０００５】
ここで、データ再生装置は、地形の入り組んだ場所を移動する際に用いられる場合がある。このような場合、データ再生装置は、データが対応づけられた領域に対して頻繁に出入りすることが考えられる。
しかしながら、従来の方法では、その都度、再生可能なデータが切り替えられて再生されてしまうという不都合がある。
【０００６】
本発明は上述した事情に鑑みてなされたものであって、再生可能なデータが対応づけられた領域に頻繁に出入りしても、データをスムーズに再生することができるデータ再生装置を提供することを目的としている。
【課題を解決するための手段】
【０００７】
上記目的を達成するために、本発明は以下の手段を提供する。
本発明は、データを再生する領域と再生可能なデータとを対応づけて記憶するデータ記憶部と、該データ記憶部に記憶されている前記再生可能なデータを再生するデータ再生部と、現在位置の位置情報を検出する位置検出部と、該位置検出部により検出された位置情報が前記領域外から前記領域内に入ったときに、当該領域に対応づけて前記データ記憶部に記憶されている再生可能なデータの再生を開始し、再生開始後所定時間にわたって当該再生可能なデータの再生状態を維持するよう前記データ再生部を制御する制御部とを備えるデータ再生装置を提供する。
【０００８】
上記発明においては、前記制御部は、前記位置検出部により検出された位置情報が前記領域外から複数の前記領域内に同時に入ったときに、前記複数の領域に対応づけて前記データ記憶部に記憶されている複数の再生可能なデータのうち、何れの再生可能なデータの再生を開始するかを判定し、かつ、前記判定された再生可能なデータの再生を開始させ、再生開始後所定時間にわたって当該再生可能なデータの再生状態を維持するよう前記データ再生部を制御することとしてもよい。
【０００９】
上記発明においては、前記制御部は、前記再生可能なデータの再生開始後所定時間が経過したときに、現在位置の位置情報を検出するよう前記位置検出部を制御し、現在位置が再生開始時の前記領域と同じ領域に存在している場合に、当該領域に対応づけて前記データ記憶部に記憶されている再生可能なデータの再生を継続するよう前記データ再生部を制御することとしてもよい。
【００１０】
上記発明においては、前記制御部は、前記再生可能なデータの再生開始後所定時間が経過したときに、現在位置の位置情報を検出するよう前記位置検出部を制御し、現在位置が再生開始時の前記領域とは異なる領域に存在している場合に、当該異なる領域に対応づけて前記データ記憶部に記憶されている再生可能なデータの再生を開始するよう前記データ再生部を制御することとしてもよい。
【００１１】
上記発明においては、前記制御部は、前記再生可能なデータの再生開始後所定時間が経過したときに、現在位置の位置情報を検出するよう前記位置検出部を制御し、現在位置が複数の前記領域内に存在している場合に、前記複数の領域に対応づけて前記データ記憶部に記憶されている複数の再生可能なデータのうち、何れの再生可能なデータの再生を開始するかを判定し、かつ、前記判定された再生可能なデータの再生を開始させ、再生開始後所定時間にわたって当該再生可能なデータの再生状態を維持するよう前記データ再生部を制御することとしてもよい。
【００１２】
上記発明においては、前記制御部は、前記再生可能なデータの再生開始後所定時間が経過したときに、現在位置の位置情報を検出するよう前記位置検出部を制御し、現在位置が前記再生可能なデータの対応づけられていない領域に存在している場合に、前記再生可能なデータの再生を継続するよう前記データ再生部を制御することとしてもよい。
【００１３】
上記発明においては、前記データ記憶部は、前記領域に対応づけられていない再生可能なデータをさらに記憶し、前記制御部は、前記再生可能なデータの再生開始後所定時間が経過したときに、現在位置の位置情報を検出するよう前記位置検出部を制御し、現在位置が前記再生可能なデータの対応づけられていない領域に存在している場合に、前記領域に対応づけられていない再生可能なデータの再生を開始するよう前記データ再生部を制御することとしてもよい。
【００１４】
上記発明においては、前記制御部は、前記再生可能なデータの再生が終了したときに、現在位置の位置情報を検出するよう前記位置検出部を制御し、現在位置が再生開始時の前記領域と同じ領域に存在している場合に、当該領域に対応づけて前記データ記憶部に記憶されている再生可能なデータの再生を開始するよう前記データ再生部を制御することとしてもよい。
【００１５】
上記発明においては、前記データ記憶部は、前記領域に対応づけられていない再生可能なデータをさらに記憶し、前記制御部は、前記再生可能なデータの再生が終了したときに、現在位置の位置情報を検出するよう前記位置検出部を制御し、現在位置が再生開始時の前記領域と同じ領域に存在している場合に、前記領域に対応づけられていない再生可能なデータの再生を開始するよう前記データ再生部を制御することとしてもよい。
【００１６】
上記発明においては、前記制御部は、前記再生可能なデータの再生が終了したときに、現在位置の位置情報を検出するよう前記位置検出部を制御し、現在位置が再生開始時の前記領域とは異なる領域に存在している場合に、当該異なる領域に対応づけて前記データ記憶部に記憶されている再生可能なデータの再生を開始するよう前記データ再生部を制御することとしてもよい。
【００１７】
上記発明においては、前記制御部は、前記再生可能なデータの再生が終了したときに、現在位置の位置情報を検出するよう前記位置検出部を制御し、現在位置が複数の前記領域内に存在している場合に、前記複数の領域に対応づけて前記データ記憶部に記憶されている複数の再生可能なデータのうち、何れの再生可能なデータの再生を開始するかを判定し、かつ、前記判定された再生可能なデータの再生を開始させるよう前記データ再生部を制御することとしてもよい。
【００１８】
上記発明においては、前記データ記憶部は、前記領域に対応づけられていない再生可能なデータをさらに記憶し、前記制御部は、前記再生可能なデータの再生が終了したときに、現在位置の位置情報を検出するよう前記位置検出部を制御し、現在位置が前記再生可能なデータの対応づけられていない領域に存在している場合に、前記領域に対応づけられていない再生可能なデータの再生を開始するよう前記データ再生部を制御することとしてもよい。
【発明の効果】
【００１９】
再生可能なデータが対応づけられた領域に頻繁に出入りしても、楽曲をスムーズに再生することができるという効果を奏する。
【発明を実施するための最良の形態】
【００２０】
本実施形態の、データ再生装置について説明する。
本実施形態のデータ再生装置は、データを再生する領域と再生可能なデータとを対応づけて記憶するデータ記憶部と、該データ記憶部に記憶されている再生可能なデータを再生するデータ再生部と、現在位置の位置情報を検出する位置検出部と、該位置検出部により検出された位置情報が領域外から領域内に入ったときに、当該領域に対応づけてデータ記憶部に記憶されている再生可能なデータの再生を開始し、再生開始後所定時間にわたって当該再生可能なデータの再生状態を維持するようデータ再生部を制御する制御部とを備えるデータ再生装置を提供する。
【００２１】
本実施形態によれば、位置検出部により、現在位置の位置情報が検出され、検出された位置情報が、再生可能なデータに対応づけてデータ記憶部に記憶されている領域内に存在しているか否かが制御部により随時判定される。そして、制御部は、現在位置の位置情報が領域外から領域内に入ったと判定したときに、当該領域に対応づけられている再生可能なデータをデータ再生部により再生開始させる。これにより、領域に対応づけられている再生可能なデータを自動的に再生することができる。
【００２２】
この場合に、制御部は、再生開始後所定時間にわたって当該再生可能なデータの再生状態を維持するようデータ再生部を制御するので、短時間の内に当該領域に頻繁に出入りしても、再生されるデータが頻繁に変化することが防止され、安定した再生状態を維持することができる。
【００２３】
上記のデータ再生装置においては、制御部は、位置検出部により検出された位置情報が領域外から複数の領域内に同時に入ったときに、複数の領域に対応づけてデータ記憶部に記憶されている複数の再生可能なデータのうち、何れの再生可能なデータの再生を開始するかを判定し、かつ、判定された再生可能なデータの再生を開始させ、再生開始後所定時間にわたって当該再生可能なデータの再生状態を維持するようデータ再生部を制御することとしてもよい。
【００２４】
このようにすることで、制御部は、現在位置の位置情報が領域外から複数の領域内に同時に入ったことを判定することができる。そして、制御部は、複数の領域に対応づけてデータ記憶部に記憶されている複数の再生可能なデータのうち、何れの再生可能なデータの再生を開始するかを判定することができる。
その後、制御部は、判定された再生可能なデータの再生を開始させ、再生開始後所定時間にわたって当該再生可能なデータの再生を開始させ、再生開始後所定時間にわたって当該再生可能なデータの再生状態を維持するようデータ再生部を制御することができる。
【００２５】
この場合に、制御部は、再生開始後所定時間にわたって当該再生可能なデータの再生状態を維持するようデータ再生部を制御するので、短時間の内に当該領域に頻繁に出入りしても、再生されるデータが頻繁に変化することが防止され、安定した再生状態を維持することができる。
さらに、領域外から複数の領域内に同時に入った場合であっても、制御部が再生するデータを判定するため、安定した再生状態を維持することができる。
【００２６】
上記のデータ再生装置においては、制御部は、再生可能なデータの再生開始後所定時間が経過したときに、現在位置の位置情報を検出するよう位置検出部を制御し、現在位置が再生開始時の領域と同じ領域に存在している場合に、当該領域に対応づけてデータ記憶部に記憶されている再生可能なデータの再生を継続するようデータ再生部を制御することとしてもよい。
【００２７】
このようにすることで、再生可能なデータの再生開始後所定時間が経過したときに、現在位置の位置情報を検出することができる。そして、現在位置が再生開始時の領域と同じ領域に存在している場合には、当該領域に対応づけてデータ記憶部に記憶されている再生可能なデータの再生を継続することができる。
【００２８】
この場合に、再生開始後所定時間の間に、当該領域を頻繁に出入りしたとしても、再生開始後所定時間が経過した後に、依然として再生開始時と同じ領域に存在するならば、当該領域に対応づけてデータ記憶部に記憶されている再生可能なデータの再生を継続させることができる。
従って、短時間の内に当該領域に頻繁に出入りしても、再生されるデータが頻繁に変化することが防止され、安定した再生状態を維持することができる。
【００２９】
上記のデータ再生装置においては、制御部は、再生可能なデータの再生開始後所定時間が経過したときに、現在位置の位置情報を検出するよう位置検出部を制御し、現在位置が再生開始時の領域とは異なる領域に存在している場合に、当該異なる領域に対応づけてデータ記憶部に記憶されている再生可能なデータの再生を開始するようデータ再生部を制御することとしてもよい。
【００３０】
このようにすることで、再生可能なデータが設定されている領域内に現在位置が存在することにより当該領域に設定されている再生可能なデータの再生が開始される。また、現在位置が変化しても所定時間にわたってその再生状態が維持され、所定時間の経過後は、その経過時に現在位置に対応づけられている再生可能なデータの再生が開始される。これにより、安定した再生状態と、領域に適したデータの再生とを達成することができる。
【００３１】
また、上記のデータ再生装置においては、制御部は、再生可能なデータの再生開始後所定時間が経過したときに、現在位置の位置情報を検出するよう位置検出部を制御し、現在位置が複数の領域内に存在している場合に、複数の領域に対応づけてデータ記憶部に記憶されている複数の再生可能なデータのうち、何れの再生可能なデータの再生を開始するかを判定し、かつ、判定された再生可能なデータの再生を開始させ、再生開始後所定時間にわたって当該再生可能なデータの再生状態を維持するようデータ再生部を制御することとしてもよい。
【００３２】
このようにすることで、所定時間の経過後に、制御部は、現在位置が複数の領域内に存在していることを判定することができる。そして、制御部は、複数の領域に対応づけてデータ記憶部に記憶されている複数の再生可能なデータのうち、何れの再生可能なデータの再生を開始するかを判定することができる。
その後、制御部は、判定された再生可能なデータの再生を開始させ、再生開始後所定時間にわたって当該再生可能なデータの再生状態を維持することができる。
【００３３】
この場合に、制御部は、再生開始後所定時間にわたって当該再生可能なデータの再生状態を維持するようデータ再生部を制御するので、短時間の内に当該領域に頻繁に出入りしても、再生されるデータが頻繁に変化することが防止され、安定した再生状態を維持することができる。
さらに、所定時間の経過時に、複数の領域内に同時に存在している場合であっても、制御部が再生するデータを判定するため、安定した再生状態を維持することができる。
【００３４】
また、上記のデータ再生装置においては、制御部は、再生可能なデータの再生開始後所定時間が経過したときに、現在位置の位置情報を検出するよう位置検出部を制御し、現在位置が再生可能なデータの対応づけられていない領域に存在している場合に、再生可能なデータの再生を継続するようデータ再生部を制御することとしてもよい。
【００３５】
このようにすることで、再生可能なデータが設定されている領域内に現在位置が存在することにより当該領域に設定されている再生可能なデータの再生が開始される。また、現在位置が変化しても所定時間にわたってその再生状態が維持され、所定時間の経過時に現在位置に再生可能なデータが設定されていない場合には、その所定時間の経過時に再生しているデータの再生が継続される。これにより、データの再生が途切れることがない。
【００３６】
また、上記のデータ再生装置においては、データ記憶部は、領域に対応づけられていない再生可能なデータをさらに記憶し、制御部は、再生可能なデータの再生開始後所定時間が経過したときに、現在位置の位置情報を検出するよう位置検出部を制御し、現在位置が再生可能なデータの対応づけられていない領域に存在している場合に、領域に対応づけられていない再生可能なデータの再生を開始するようデータ再生部を制御することとしてもよい。
【００３７】
このようにすることで、再生可能なデータが設定されている領域内に現在位置が存在することにより当該領域に設定されている再生可能なデータの再生が開始される。また、現在位置が変化しても所定時間にわたってその再生状態が維持される。
そして、データ記憶部が、領域に対応づけられていない再生可能なデータを有するため、所定時間が経過したときに、現在位置に再生可能なデータが設定されていない場合であっても、領域に対応づけられていない再生可能なデータの再生を開始することができる。これにより、データの再生が途切れることがない。
【００３８】
また、上記のデータ再生装置においては、制御部は、再生可能なデータの再生が終了したときに、現在位置の位置情報を検出するよう位置検出部を制御し、現在位置が再生開始時の領域と同じ領域に存在している場合に、当該領域に対応づけてデータ記憶部に記憶されている再生可能なデータの再生を開始するようデータ再生部を制御することとしてもよい。
【００３９】
このようにすることで、再生可能なデータの再生が終了するまでに、再生可能なデータに対応づけられた領域に頻繁に出入りしても、当該データの再生が終了した段階で、現在位置が再生開始時の領域と同じ領域に存在しているならば、当該領域に対応づけてデータ記憶部に記憶されている再生可能なデータの再生が開始される。
従って、再生されるデータが頻繁に変化することが防止され、安定した再生状態を維持することができる。
【００４０】
また、上記のデータ再生装置においては、データ記憶部は、領域に対応づけられていない再生可能なデータをさらに記憶し、制御部は、再生可能なデータの再生が終了したときに、現在位置の位置情報を検出するよう位置検出部を制御し、現在位置が再生開始時の領域と同じ領域に存在している場合に、領域に対応づけられていない再生可能なデータの再生を開始するようデータ再生部を制御することとしてもよい。
【００４１】
このようにすることで、再生可能なデータの再生が終了したときに、現在位置の位置情報を検出することができる。
そして、データ記憶部が、領域に対応づけられていない再生可能なデータを有するため、再生可能なデータの再生が終了したときに、現在位置が再生開始時の領域と同じ領域に存在している場合に、領域に対応づけられていない再生可能なデータの再生を開始することができる。これにより、データの再生が途切れることがない。
さらに、再生が終了した再生可能なデータとは、異なる再生可能なデータの再生を開始することができる。
【００４２】
また、上記のデータ再生装置においては、制御部は、再生可能なデータの再生が終了したときに、現在位置の位置情報を検出するよう位置検出部を制御し、現在位置が再生開始時の領域とは異なる領域に存在している場合に、当該異なる領域に対応づけてデータ記憶部に記憶されている再生可能なデータの再生を開始するようデータ再生部を制御することとしてもよい。
【００４３】
このようにすることで、再生可能なデータの再生が終了したときに、現在位置が再生開始時の領域とは異なる領域に存在している場合に、当該異なる領域に対応づけてデータ記憶部に記憶されている再生可能データの再生を開始することができる。これにより、安定した再生状態と、領域に適したデータの再生とを達成することができる。
【００４４】
また、上記のデータ再生装置においては、制御部は、再生可能なデータの再生が終了したときに、現在位置の位置情報を検出するよう位置検出部を制御し、現在位置が複数の領域内に存在している場合に、複数の領域に対応づけてデータ記憶部に記憶されている複数の再生可能なデータのうち、何れの再生可能なデータの再生を開始するかを判定し、かつ、判定された再生可能なデータの再生を開始させるようデータ再生部を制御することとしてもよい。
【００４５】
このようにすることで、再生可能なデータの再生が終了したときに、制御部は、現在位置が複数の領域に存在していることを判定することができる。そして、制御部は、複数の領域に対応づけてデータ記憶部に記憶されている複数の再生可能なデータのうち、何れの再生可能なデータの再生を開始するかを判定することができる。
その後、制御部は、判定された再生可能なデータの再生を開始させることができる。
【００４６】
この場合に、制御部は、再生可能なデータの再生が終了するまでの間に、領域が頻繁に入れ替わっても、再生可能なデータの再生が終了したときの領域に対応づけられた再生可能なデータを再生することができる。
また、現在位置が複数の領域に存在していても、何れの領域に対応づけられた再生可能なデータを再生するかを判定するため、領域が頻繁に入れ替わっても、再生されているデータの再生が途中で途切れることがない。
【００４７】
また、上記のデータ再生装置においては、データ記憶部は、領域に対応づけられていない再生可能なデータをさらに記憶し、制御部は、再生可能なデータの再生が終了したときに、現在位置の位置情報を検出するよう位置検出部を制御し、現在位置が再生可能なデータの対応づけられていない領域に存在している場合に、領域に対応づけられていない再生可能なデータの再生を開始するようデータ再生部を制御することとしてもよい。
【００４８】
このようにすることで、再生可能なデータの再生が終了したときに、現在位置の位置情報を検出することができる。
そして、データ記憶部が、領域に対応づけられていない再生可能なデータを有するため、再生可能なデータの再生が終了したときに、現在位置が再生可能なデータの対応づけられていない領域に存在している場合に、領域に対応づけられていない再生可能なデータの再生を開始することができる。これにより、データの再生が途切れることがない。
【００４９】
本発明の一実施形態に係る音楽再生装置（データ再生装置）１ついて、図１〜図７を参照して以下に説明する。
本実施形態に係る音楽再生装置１は、図１および図２に示されるように、地図上の指定された領域（データを再生する領域）を示す領域情報Ｒと楽曲情報Ｍとを対応づけて記憶する楽曲情報記憶部（データ記憶部）２と、該楽曲情報記憶部２に記憶されている楽曲データ（再生可能なデータ）を再生する楽曲情報再生部（データ再生部）３と、現在位置の位置情報を検出するＧＰＳアンテナ（位置検出部）４と、該ＧＰＳアンテナ４により検出された位置情報が地図上の指定された領域外から領域内に入ったか否かを判定する制御部５とを備えている。図中符号６は、楽曲情報再生部３により再生される楽曲データを音響信号に変換するスピーカである。
【００５０】
楽曲情報記憶部２は、図２に示されるように、特定の地理的な領域を示す領域情報Ｒと楽曲情報Ｍとを対応づけて記憶することができる。領域情報Ｒとしては、図３に示されるように、地図上に所定の距離のマス目で区画した領域の場合にはマス目の交点の座標を採用することができる。また、図４に示されるように、特定の位置の座標とそこからの距離とにより特定される領域の場合には中心座標と半径寸法を採用してもよい。あるいは、図５に示されるように任意形状の曲線により区画される領域の場合にはその曲線を示す関数やノードの座標等を採用してもよい。座標としては、例えば、緯度と経度によって表されている。
【００５１】
楽曲情報Ｍには、図２に示されるように、楽曲データの他、楽曲名、作曲家名、作詞家名あるいは歌手名のようなインデックス情報および再生時間等の付加情報が含まれている。
【００５２】
制御部５は、ＧＰＳアンテナ４により検出された位置情報が、特定の楽曲情報Ｍに対応づけられた領域外から領域内に入ったと判定したときに、時間の計数を開始するタイマー５ａを備えている。そして、制御部５が、特定の楽曲情報Ｍに対応づけられた領域内に入ったと判定したときには、当該領域を示す領域情報Ｒに対応づけられている楽曲情報Ｍに含まれる楽曲データの再生を開始するように楽曲情報再生部３を制御する。
【００５３】
さらに、制御部５は、上記の判定に従って、一旦楽曲データの再生を楽曲情報再生部３により開始させたときには、その後所定時間（以下、再生継続時間という。）にわたってその楽曲データの再生状態を維持するよう楽曲情報再生部３を制御する。
【００５４】
また、制御部５は、上記の判定に従って、特定の領域情報Ｒに対応づけられた楽曲情報Ｍに含まれる楽曲データの再生を開始した後、再生継続時間経過後に、現在位置が再生開始時と同じ領域Ｒに存在していると判定したときは、当該領域Ｒに対応づけて記憶部２に記憶されている楽曲データの再生を継続するよう楽曲情報再生部３を制御する。
【００５５】
また、制御部５は、上記の判定に従って、特定の領域情報Ｒに対応づけられた楽曲情報Ｍに含まれる楽曲データの再生を開始した後、再生継続時間経過後に、現在位置が楽曲情報Ｍに対応づけられていない領域に存在していると判定したときに、再生している当該楽曲データの再生を終わらせることなく、継続するよう楽曲情報再生部３を制御する。
【００５６】
なお、楽曲情報記憶部２が、何れの領域情報にも対応づけられていない楽曲データを記憶している場合、制御部５は、再生継続時間経過後に、現在位置が楽曲情報Ｍに対応づけられていない領域に存在していると判定したときに、何れの領域情報にも対応づけられていない楽曲データを再生するよう楽曲情報再生部３を制御することとしてもよい。
【００５７】
また、制御部５は、上記の判定に従って、特定の領域情報Ｒに対応づけられた楽曲情報Ｍに含まれる楽曲データの再生を開始した後、再生継続時間経過後に、当該特定の領域と異なる領域であって、新たな特定の楽曲情報に対応づけられた別の領域内に存在していると判定する場合がある。この場合、制御部５は、新たな領域に対応づけられた楽曲データの再生を開始するよう楽曲情報再生部３を制御する。
【００５８】
そして、制御部５は、当該楽曲データの再生が終了した時点で、現在位置が、再生開始時の楽曲データを含む楽曲情報Ｍに対応づけられた領域Ｒに依然として存在していると判定したときに、当該領域Ｒに対応づけて楽曲情報記憶部２に記憶されている楽曲データの再生を、再度再生するよう楽曲情報再生部３を制御する。
【００５９】
なお、楽曲情報記憶部２が、何れの領域情報にも対応づけられていない楽曲データを記憶している場合がある。そして、制御部５は、楽曲データの再生が終了した時点で、現在位置が、再生開始時の楽曲データを含む楽曲情報Ｍに対応づけられた領域または、何れの領域情報にも対応づけられていない領域に存在していると判定することがある。このとき、制御部５は、何れの領域情報にも対応づけられていない楽曲データを再生するよう楽曲情報再生部３を制御することとしてもよい。
【００６０】
一方、制御部５は、当該楽曲データの再生が終了した時点で、現在位置が楽曲情報Ｍに対応づけられた領域と異なる領域Ｒに存在していると判定したときに、当該異なる領域Ｒに対応づけて楽曲情報記憶部２に記憶されている楽曲データを再生するよう楽曲情報再生部３を制御する。
【００６１】
このように構成された本実施形態に係る音楽再生装置１の作用について以下に説明する。
本実施形態に係る音楽再生装置１をユーザが携帯し、楽曲データの再生中あるいは再生可能状態で移動すると、図７に示されるように、ＧＰＳアンテナ４によって現在位置の座標が取得され（ステップＳ１）、制御部５において、楽曲情報記憶部２内の領域情報Ｒが参照される。
【００６２】
参照の結果、図４および図６に示されるように、楽曲データの対応づけられていない領域Ｒ０内の地点Ｐ０から特定の楽曲データＭ１が対応づけられた領域Ｒ１内の地点Ｐ１に移動したことが制御部５により判定される（ステップＳ２）と、制御部５は、他の楽曲データの再生継続時間中にあるか否かを判定し（ステップＳ３）、再生継続時間中ではない場合にはタイマー５ａによる時間の計数が開始される（ステップＳ４）。
【００６３】
この状態で、ユーザの操作により再生中の楽曲が存在する場合には、制御部５は、その楽曲データの再生をフェードアウトさせ（ステップＳ５）、当該新たな領域Ｒ１に対応づけて記憶されている楽曲データＭ１を再生させるよう楽曲情報再生部３を制御する。
これにより、楽曲データＭ１の再生が開始される。すなわち、領域Ｒ１に対応づけて記憶されている楽曲データＭ１を再生させることにより、ユーザの置かれている環境に適した楽曲をユーザが聴くことができる。
【００６４】
そして、ユーザがさらに移動することにより、楽曲データの対応づけられていない領域Ｒ０内の地点Ｐ２に移動し、さらに楽曲データＭ１の対応づけられている領域Ｒ１に戻る場合、領域Ｒ０と領域Ｒ１との境界を２回横切ることになる。このとき、タイマー５ａにより計数された時間が、再生継続時間内である場合には、制御部５は、領域Ｒ０と領域Ｒ１との境界線を跨ぐ度に再生する楽曲データＭ１の切り替えを行うのではなく、楽曲データＭ１の再生を継続する（ステップＳ３）。
【００６５】
これにより、地形や道路が入り組んで、所定の領域Ｒ０，Ｒ１間を頻繁に出入りするような場合であっても、その領域Ｒ０，Ｒ１変更の度に再生される楽曲データＭ１が切り替わる不都合を防止し、安定した再生状態を維持することができる。
【００６６】
また、図６に示されるように、楽曲データＭ２が対応づけられている領域Ｒ２内の地点Ｐ３から移動して当該領域Ｒ２内で、かつ、他の新たな領域Ｒ３内でもある領域Ｒ２３に入ったときには、楽曲データＭ２の再生継続時間中であれば、元の楽曲データＭ２の再生が継続される。一方、再生継続時間が終了した後に、領域Ｒ３に存在している場合には、タイマー５ａによる計数が開始され（ステップＳ４）、元の領域Ｒ２に対応づけられている楽曲データＭ２の再生がフェードアウトされ（ステップＳ５）、新たな領域Ｒ３に対応づけて記憶されている新たな楽曲データＭ３の再生が開始される（ステップＳ６）。
【００６７】
このように、本実施形態に係る音楽再生装置１によれば、ＧＰＳアンテナ４により検出された現在位置が、楽曲情報Ｍの対応づけられた領域に入った場合に当該楽曲情報Ｍの再生が開始されるので、周囲環境に応じた楽曲を自動的に聴くことができる。そして、そのようにして楽曲情報Ｍの再生が開始された後、所定の再生継続時間中は、現在位置の存在する領域が入れ替わっても、当該楽曲情報Ｍの再生が中断されることなく継続されるので、再生される楽曲情報Ｍが頻繁に切り替わる不都合を防止して安定してスムーズに聞き続けることができるという利点がある。
【００６８】
なお、本実施形態においては、制御部５が、地図上の指定された領域外から、地図上の指定された複数の領域内に同時に入ったか否かを判定してもよい。そして、地図上の指定された複数の領域内に同時に入ったと判定したときには、当該複数の領域に対応づけて楽曲情報記憶部２に記憶されている複数の楽曲データのうち何れの楽曲データの再生を開始するかを判定してもよい。
【００６９】
例えば、楽曲情報記憶部２には、領域情報Ｒと楽曲情報Ｍがリストとして記憶されている場合がある。この場合、制御部５は、複数の楽曲データのうち、楽曲情報記憶部２の記憶された楽曲情報Ｍのリストの順に従って、何れの楽曲データの再生を開始するかを判定することができる。
【００７０】
また、地図上の指定された領域外において、既に楽曲データが再生されている場合がある。この場合、制御部５は、当該楽曲データの有する楽曲情報Ｍの付加情報と、地図上の指定された複数の領域に対応づけて楽曲情報記憶部２に記憶されている複数の楽曲データの有する楽曲情報Ｍの付加情報と、を比較してもよい。そして、制御部５は、複数の楽曲データの中で、領域外で再生した楽曲データの付加情報と共通する付加情報を多く（または少なく）有する楽曲データの再生を開始するように判定することができる。
【００７１】
また、楽曲情報記憶部２が、楽曲データと、当該楽曲データの再生回数を記憶することとしてもよい。この場合、制御部５は、複数の領域に対応づけて楽曲情報記憶部２に記憶されている複数の楽曲データのうち、再生回数の多い（または少ない）楽曲データを判定することができる。
【００７２】
このように、地図上の指定された領域外から地図上の指定された複数の領域内に同時に入った場合であっても、何れかの方法によって、複数の楽曲データのうち何れの楽曲データの再生を開始するかを判定することができる。これにより、安定した再生状態と、地図上の指定された領域に適したデータの再生とを達成することができる。
【００７３】
また、本実施形態においては、所定の再生継続時間の経過後、現在位置が、楽曲データが対応づけられている複数の領域内に存在している場合に、制御部５が、当該複数の領域に対応づけて楽曲情報記憶部２に記憶されている複数の楽曲データのうち、何れの楽曲データの再生を開始するかを判定してもよい。
【００７４】
この場合においても、上記と同様に再生を開始する楽曲データを判定することができる。さらに、楽曲情報記憶部２が、領域に入った時刻を記憶することとしてもよい。この場合、制御部５は、複数の領域に対応づけて記憶されている複数の楽曲データのうち、もっとも早く（または遅く）入った領域に対応する楽曲データを判定し、当該楽曲データの再生を開始することができる。
【００７５】
また、本実施形態においては、楽曲データの再生が終了した時点で、現在位置が、楽曲データが対応づけられている複数の領域内に存在している場合に、制御部５が、当該複数の領域に対応づけて楽曲情報記憶部２に記憶されている複数の楽曲データのうち、何れの楽曲データの再生を開始するかを判定してもよい。
この場合においても、上記と同様に再生を開始する楽曲データを判定することができる。
【００７６】
また、本実施形態においては、「データを再生する領域」として地図上の指定された領域が挙げられているが、地図上の領域に限定されない。例えば、予め、経度と緯度の所定の範囲を設定し、その範囲を満たす領域を「データを再生する領域」としてもよい。
【００７７】
また、本実施形態においては、位置検出部として、ＧＰＳアンテナ２を用いたが、これに代えて、携帯電話や、ホットスポット用の通信端末の通信手段を適用してもよい。この場合、携帯電話や、ホットスポット用の通信端末の通信手段によって、現在位置の座標を受信することができる。
【００７８】
また、本実施形態においては、再生可能なデータとして、楽曲データを用いたが、これに代えて、音声データ、画像データ、動画データ等の各種データとしても良い。
【図面の簡単な説明】
【００７９】
【図１】本発明の一実施形態に係る音楽再生装置を示すブロック図である。
【図２】図１の音楽再生装置の楽曲情報記憶部内に記憶されるデータの一例を示す図である。
【図３】図２の楽曲情報記憶部内に楽曲情報と対応づけて記憶される領域情報の一例を示す図である。
【図４】図２の楽曲情報記憶部内に楽曲情報と対応づけて記憶される領域情報の他の例を示す図である。
【図５】図２の楽曲情報記憶部内に楽曲情報と対応づけて記憶される領域情報のさらに他の例を示す図である。
【図６】図１の音楽再生装置の動作を説明するための現在位置と領域との関係を示す図である。
【図７】図１の音楽再生装置の動作を説明するためのフローチャートである。
【符号の説明】
【００８０】
Ｍ１，Ｍ２，Ｍ３  楽曲データ（再生可能なデータ）
Ｒ０，Ｒ１，Ｒ２，Ｒ３  領域
１  音楽再生装置（データ再生装置）
２  楽曲情報記憶部（データ記憶部）
３  楽曲情報再生部（データ再生部）
４  ＧＰＳアンテナ（位置検出部）
５  制御部
【図１】
2010027126.tif 000003
【図２】
2010027126.tif 000004
【図３】
2010027126.tif 000005
【図４】
2010027126.tif 000006
【図５】
2010027126.tif 000007
【図６】
2010027126.tif 000008
【図７】
2010027126.tif 000009